(57)【要約】【課題】ベルト背面に物品制御用のプロフィルを立ち上げた搬送ベルトにおいて、アイドラとしての中間プーリにベルト背面で接触する場合でも、プロフィルとベルト背面との無理な干渉を回避して双方の損傷を防止できるようにした、プロフィル付き搬送ベルトを提供する。【解決手段】プロフィルの側面積をベルト長手方向に大きくして強化してなっているものであって、プロフィルのベルト背面から立ち上がる足元底辺部のベルト長手方向でいう一端側を基部とする前脚部がベルト背面に結合され、他端側の後脚部がベルト背面に干渉しない位置に臨む自由端となっている。この搬送ベルトは、（１）プロフィルの後脚部が対面する位置のベルト本体に切欠部を設け、（２）プロフィルの後脚部がベルト本体の幅方向の外側に位置しており、あるいは（３）プロフィルの前脚部が弾性屈曲自在なブラケットを介してベルト背面に結合されている。【選択図】  図１
2004359358.tif 000002
【特許請求の範囲】
【請求項１】
レイアウト上の複数の回転駆動体間に捲回されたベルト本体の背面に物品を担持して搬送し、搬送中の物品に背後から当接して物品の位置および姿勢を制御するためのプロフィルをベルト背面に立ち上げて設け、搬送中の物品から受ける反動応力に対して所要の剛性を確保するために、プロフィルの側面積をベルト長手方向に大きくして強化している搬送ベルトであって、
プロフィルのベルト背面から立ち上がる足元底辺部のベルト長手方向でいう一端側を基部とする前脚部がベルト背面に結合され、他端側の後脚部がベルト背面に干渉しない位置に臨む自由端となっていることを特徴とする搬送ベルト。
【請求項２】
プロフィルの後脚部が対面する位置のベルト本体に切欠部を設け、この切欠部にプロフィルの後脚部を臨ませて干渉を避けるようにした請求項１記載の搬送ベルト。
【請求項３】
プロフィルの後脚部をベルト本体の幅方向の外側に位置させた請求項１記載の搬送ベルト。
【請求項４】
プロフィルの前脚部を弾性屈曲自在なブラケットを介してベルト背面に結合させた請求項１記載の搬送ベルト。
【請求項５】
レイアウト上の回転駆動体の１つがアイドラとして配置された中間プーリであり、この中間プーリにベルト背面を接触させて走行案内される場合に対応可能な請求項１，２，３または４記載の搬送ベルト。
【発明の詳細な説明】
【０００１】
【発明の属する技術分野】
本発明は、歯車やプーリ等の回転駆動体間に捲回されて物品を搬送するための搬送ベルトに関するものである。
【０００２】
【従来の技術】
一般に、ベルト背面に物品を担持して搬送する搬送ベルトでは、搬送中の物品がベルト走行速度に応じた反動で位置間隔や姿勢を乱さないように、物品背後から当接して位置決め制御するためのプロフィルと称される当て板をベルト背面にベルト全長へ等間隔に立ち上げた構造をとっている。図５は、搬送ベルトとしての歯付ベルト１が歯１ａを回転駆動体である歯車（図示せず）に噛合させて走行移動力を受け、そうしたベルト背面１ｂに平板形状のプロフィル２をほぼ垂直に立ち上げた従来構造を示す平面図（ａ）と側面図（ｂ）である。この場合、歯付ベルト１が走行すると、その走行速度に応じて搬送物品が反動を受けて、負荷Ｆが図の左側から矢印の方向へとプロフィル２に働く。
【０００３】
また、プロフィル２の負荷Ｆに対する機械的応力を高める剛性強化構造として、図６の平面図（ａ）および側面図（ｂ）に示すように、ベルト長手方向に側面積を広げた略三角形状のものが知られている。そうしたプロフィル本体３ａの底辺一端側の前脚部３ｂは、歯付ベルト１の背面１ｂに溶着などで一体的に結合して固定され、後脚部３ｃは自由端としてベルト背面１ｂに適当なクリアランス４をもって対面させている。それにより、プロフィル３が左側から物品の反動力による負荷Ｆを受けた場合でも、略三角形状の側面積を有することで耐久性を確保している。この図６で示されたプロフィル３に関連する構造の従来例としては、特開２００１−１２２４１５号公報や実用新案登録第２５０３３８３号公報に記載されたプロフィル付ベルトがある。
【０００４】
ところで、上記図６で示される従来例では、以下のような問題がある。図７に示すように、装置や設備のレイアウトにおいて、駆動側と従動側の回転駆動体が複数のプーリや歯車からなっている場合、例えば複数の歯車５，６，７間に歯付ベルト１を掛け回し、さらに中間プーリ８がアイドラとして配置されている場合、中間プーリ８は装置スペース等の制約のため、さらには歯付ベルト１に張力を付与するなどのために配置され、歯付ベルト１のベルト背面１ｂに接触してベルト走行を案内しつつテンションを付与する。その場合、歯付ベルト１の捲回外側に中間プーリ８が配置され、走行中の歯付ベルト１がこのベルト背面１ｂで中間プーリ８に接触することで問題が発生する。
【０００５】
拡大図の図８に示すように、歯付ベルト１はベルト背面１ｂで中間プーリ８に接触するため、円周曲率の曲面に倣って逆反りして屈曲する。そうしたベルトの逆反りによって、プロフィル３の底辺部の前脚部３ｂと後脚部３ｃがベルト背面１ｂに食い込むように干渉してしまうのである（図中、符号Ａ，Ｂ円内の斜線部で示す）。図９は、プロフィル３の前脚部３ｃがベルト背面１ｂに食い込んで損傷９を与える場合を示している（図８中の符号Ａ円で示す干渉部）。また、図１０は、プーリ円周曲面に倣ってベルト背面１ｂが屈曲することでプロフィル３が反り返り（図８中の符号Ｂ円で示す干渉部）、前脚部３ｂに無理な力が働いて破断してベルト背面１ｂから離脱するという最悪事態を示している。
【０００６】
【発明が解決しようとする課題】
本発明の目的は、ベルト背面に搬送物品を担持して搬送を行い、そのベルト背面に物品制御用のプロフィルを立ち上げた搬送ベルトにおいて、装置や設備のレイアウト上に配置されたアイドラとしての中間プーリにベルト背面で接触する場合でも、プロフィルとベルト背面との無理な干渉を回避して双方の損傷を防止できるようにした、耐久性に優れたプロフィル付き搬送ベルトを提供することにある。
【０００７】
【課題を解決するための手段】
上記目的を達成するために、本発明に係る請求項１に記載の搬送ベルトは、レイアウト上の複数の回転駆動体間に捲回されたベルト本体の背面に物品を担持して搬送し、搬送中の物品に背後から当接して物品の位置および姿勢を制御するためのプロフィルをベルト背面に立ち上げて設け、搬送中の物品から受ける反動応力に対して所要の剛性を確保するために、プロフィルの側面積をベルト長手方向に大きくして強化してなっているものであって、プロフィルのベルト背面から立ち上がる足元底辺部のベルト長手方向でいう一端側を基部とする前脚部がベルト背面に結合され、他端側の後脚部がベルト背面に干渉しない位置に臨む自由端となっていることを特徴とする。
【０００８】
以上の構成から、搬送ベルトの走行駆動中、搬送物品はベルト走行速度に応じて反動を受け、その負荷がプロフィルに働き、プロフィルが反動力負荷を受けて後方へ反って撓んだ場合でも、足元の後脚部はベルト背面に干渉しないので、従来のように後脚部がベルト背面に食い込み、プロフィルとベルト本体に互いに無理な力が作用して一方または双方が損傷するのを免れることができる。
【０００９】
また、本発明に係る請求項２に記載の搬送ベルトは、プロフィルの後脚部が対面する位置のベルト本体に切欠部を設け、この切欠部にプロフィルの後脚部を臨ませて干渉を避けていることを特徴としている。
【００１０】
以上から、プロフィル後脚部が対面する位置のベルト本体に切欠部を設けておけば、プロフィル後脚部をその切欠部に臨ませてベルト本体との干渉を避けることができる。
【００１１】
また、本発明に係る請求項３に記載の搬送ベルトは、プロフィルの後脚部がベルト本体の幅方向の外側に位置していることを特徴としている。
【００１２】
以上から、この場合プロフィル後脚部をベルト本体の外側に位置させることにより、プロフィルが反ったり撓んだ場合でもベルト背面に無理な力が働くということは全くない。
【００１３】
また、本発明にかかる請求項４に記載の搬送ベルトは、プロフィルの前脚部が弾性屈曲自在なブラケットを介してベルト背面に結合されていることを特徴とする。
【００１４】
この場合、プロフィルの前脚部を従来のようにベルト背面に溶着などで結合して一体化せず、弾性屈曲可能なブラケットで連結しているので、プロフィルの前脚部に大きな反り返り力が作用した場合でも、ブラケットが弾性屈曲してあたかもヒンジ部材のように作用し、反り返り力を吸収してプロフィル前脚部に亀裂、損傷、破断発生といった不具合が解消される。
【００１５】
また、本発明にかかる請求項５に記載の搬送ベルトは、レイアウト上の回転駆動体の１つがアイドラとして配置された中間プーリであり、この中間プーリにベルト背面を接触させて走行案内される場合に対応可能であることを特徴とする。
【００１６】
上記請求項１〜４に記載の搬送ベルトのいずれにおいても、レイアウト上にアイドラとしての中間プーリが搬送ベルトの捲回外側に配置される場合に特に有効である。すなわち、搬送ベルトはそのベルト背面を中間プーリの周面に接触させることで、ベルト走行を案内され、適度なテンションを付与される。その際、ベルト本体はプーリ周面の曲面に倣って逆反りする。従来、そのようなベルト本体の逆反りによる過大な力でもってベルト本体とプロフィルとが干渉し、一方または双方が損傷する原因となっている。ところが、プロフィルの後脚部はベルト本体と何ら干渉しない位置にあり、あるいはプロフィルの前脚部をヒンジ部材的作用するブラケットで連結しておけば、ベルト本体とプロフィルとの間に過大な応力が相互に作用せず損傷を防止でき、装置や設備のレイアウト、特にアイドラを備えたレイアウトに対応する自由度の高い耐久性に優れたものとなる。
【００１７】
【発明の実施の形態】
本発明にかかる搬送ルトの実施の形態について、図面を参照しながら説明する。図１は、本発明に係る第１実施の形態の搬送ベルト１０を示す平面図（ａ）と側面図（ｂ）である。装置や設備に装着された回転駆動体が、例えば駆動側と従動側の複数の歯車（図示せず）からなっており、それら歯車に噛合する歯１１を有する歯付ベルト１０が搬送ベルトとして用いられる場合の実施形態である。歯付ベルト１０の背面１２にはベルト全長にわたって適宜ピッチで立ち上がって全体三角形状または台形状のプロフィル２０が設けられている。プロフィル２０は、本体２１のほぼ垂直な図の左側面２２で被搬送用物品（図示せず）に突き当て、この物品が図の左方向へ流れて搬送される場合に、ベルト走行速度に応じた反動力負荷が右方向へ働く。そうした搬送物品からの反動力負荷をプロフィル２０が左側面２２で受け止め、搬送物品の姿勢や間隔が搬送中に不規則に乱れないように制御して位置決めするための補佐機能をする。
【００１８】
そこで、かかるプロフィル２０において、本体２１の左側面２２の直下の底辺部である前脚部２３は、歯付ベルト１０の背面１２に例えば溶着等の接着手段で結合して固定されている。また、プロフィル本体２１の底辺部の後脚部２４は、前脚部２３よりも長め寸法に形成され、ベルト背面１２とは干渉しない自由な片足状態となっている。そのプロフィル後脚部２４との干渉を避けるため、その部位の歯付ベルト１０に切欠部１３を設け、この切欠部１３にプロフィル後脚部２４が臨んで入り込んでいる。図１（ｂ）の図示例では、ガイドレール３０の案内面３１との取り合いが示され、歯付ベルト１０の歯１１がそのガイドレール案内面３１に接触して走行が案内され、またプロフィル後脚部２４がガイドレール案内面３１に接触する状態となっている。
【００１９】
この第１実施の形態の搬送ベルト１０においては、搬送中の物品がベルト走行によって反動を受け、その負荷をプロフィル２０の左側面２２で受けてプロフィル本体２１が右方向へ撓んで倒れようとする際、プロフィル２０の後脚部２４は歯付ベルト１０の切欠部１３に入り込んでいるからベルト本体には何ら干渉せず、ガイドレール案内面３１に当接することで物品からの負荷を吸収する。歯付ベルト１０はそのようにしてプロフィル２０から無理な力を受けることなく、ベルト背面１２などに損傷を受けない。
【００２０】
次に、図２は、本発明に係る第２実施の形態として、同じく歯付ベルト１０による搬送ベルトを示す平面図（ａ）と側面図（ｂ）である。この場合の歯付ベルト１０に設けられたプロフィル４０は、歯付ベルト１０のベルト幅Ｂ方向でいう両端側に分離した２つのもの４０Ａ，４０Ｂからなっている。それら一方と他方のプロフィル４０Ａ，４０Ｂは、いずれも底辺部の前脚部４３がベルト背面１２に結合して固定されている。また、プロフィル本体４１とその底辺部の後脚部４４が歯付ベルト１０の両側面１４，１５の外側に位置することで、歯付ベルト１０のベルト本体との干渉を避けた構造である。また、プロフィル後脚部４４は、上記図１の第１実施の形態の場合と同様に、ガイドレール案内面３１に当接して接触するようになっている。
【００２１】
したがって、この第２実施の形態の搬送ベルト１０にあっても、二体に分離したプロフィル４０Ａ，４０Ｂはベルト本体や背面１２との干渉が避けられるようになっており、物品からの反動力負荷を受けても、それをプロフィル後脚部４４がガイドレール案内面３１との当接によって吸収して対応し、歯付ベルト１０の本体や背面１２に損傷を与えない。
【００２２】
一方、図３は、本発明にかかる第３実施の形態として、同じく歯付ベルト１０による搬送ベルトを示す正面図（ａ）と側面図（ｂ）である。この場合の歯付ベルト１０に設けられたプロフィル５０は、その本体５１の形状が従来例の図６で示されたものと基本的には同じである。そして特に、図１０で従来構造の問題点として例示されたプロフィル３の底辺前脚部３ｂに亀裂が生じたりまた破断してベルト背面１ｂから離脱するという不具合の解消に有効な実施例である。即ち、プロフィル本体５１の前脚部５３は、歯付ベルト１０の背面１２に溶着などで一体的に結合固定され、プロフィル後脚部５４は自由端としてベルト背面１２に当接するか、または所要のクリアランスｃを設けて臨んだ片足構造となっている。
【００２３】
そうしたプロフィル本体５１の形状において、搬送物品の突き当て面である左側面５２の下部の前脚部５３とベルト背面１２とを互いに弾性で屈曲可能な材質のＬ字形ブラケット６０で結合した構造である。ブラケット６０の結合手段には、ボルト６１，６２などねじ類が用いられている。
【００２４】
以上の構造から、図３（ｂ）中の矢印で示すように、物品からの反動力負荷とは逆方向の力がプロフイル本体５１に働いた場合、このプロフイル本体５１に、前脚部５３を支点にした回転モーメントが作用する。その力が過大になってプロフィル前脚部５３が破断（図１０参照）に至ってしまう不具合を、上記ブラケット６０があたかもヒンジ部材のように作用して弾性で屈曲する。プロフイル本体５１は、前脚部５３を支点に前方へ倒れ込み、それにより回転モーメントによる応力を吸収することにより、プロフィル前脚部５３に亀裂が発生したり、また破断に至ってベルト背面１２から離脱する不具合を防止できる。
【００２５】
また、この図３に示すプロファイル５０付きの第３実施の形態の歯付ベルト１０にあっては、従来例の図７と図８で示された装置や設備のスペース上の制約などで、外側アイドラとしての中間プーリが配置されている場合にも好適に対応できて有効である。すなわち、図４（ａ），（ｂ）に示すように、この場合一対からなる中間プーリ７０，７１がプロフィル５０に干渉しないように外側に配置され、ベルト背面１２に接触して歯付ベルト１０の走行を案内するレイアウトの場合である。
【００２６】
走行中の歯付ベルト１０が、中間プーリ７０，７１に差し掛かって接触すると、歯付ベルト１０は中間プーリ７０，７１の円周曲面に倣い逆反りになって屈曲する。ベルト逆反りによってプロフィル５０の前脚部５３と後脚部５４がベルト背面１２に干渉しようとするが、それ以前にプロフィル本体５１全体がブラケット６０をヒンジにして回動することで、ベルト背面１２との干渉を回避する。結果、図９および図１０で示されたような、プロフィル前脚５３と後脚部５４がベルト背面１２に損傷を与え、またプロフィル自らも破断して離脱するといった不具合を解消することができる。
【００２７】
【発明の効果】
本発明に係る搬送ベルトは、走行駆動中に搬送物品がベルト走行速度に応じて反動を受け、その負荷がプロフィルに働いて後方へ反って撓んだ場合でも、足元の後脚部はベルト背面に干渉しないので、従来のように後脚部がベルト背面に食い込むことで、プロフィルとベルト本体に互いに無理な力が作用して一方または双方が損傷するようなこともなく、耐久性に優れたものを得ることができる。
【００２８】
特に、レイアウト上の回転駆動体の１つがアイドラとして配置された中間プーリであり、この中間プーリにベルト背面を接触させて走行案内される場合にも、対応可能である。
【図面の簡単な説明】
【図１】本発明に係る搬送ベルトの第１実施の形態であるプロフィル付き歯付ベルトを示す平面図（ａ）とその矢印Ｙ−Ｙ線からの一部断面側面図（ｂ）である。
【図２】本発明に係る搬送ベルトの第２実施の形態であるプロフィル付き歯付ベルトを示す平面図（ａ）と側面図（ｂ）である。
【図３】本発明に係る搬送ベルトの第３実施の形態であるプロフィル付き歯付ベルトを示す正面図（ａ）と側面図（ｂ）である。
【図４】本発明にかかる搬送ベルトの第４実施の形態であるプロフィル付き歯付ベルトとアイドラとしての中間プーリとの取り合いを示す正面図（ａ）と側面図（ｂ）である。
【図５】搬送ベルトとして従来例のプロフィル付き歯付ベルトを示す平面図（ａ）と側面図（ｂ）である。
【図６】同じく搬送ベルトとして他の従来例のプロフィル付き歯付ベルトを示す平面図（ａ）と側面図（ｂ）である。
【図７】アイドラとして中間プーリを配置した場合のプロフィル付き歯付ベルトを示す一般的なレイアウト図である。
【図８】同レイアウトにおいて中間プーリとその従来例のプロフィル付き歯付ベルトとの取り合いを示す側面図である。
【図９】その従来例のプロフィル付き歯付ベルトとの干渉によってベルト背面に損傷を与える状態を模式的に示す斜視図である。
【図１０】同じくその従来例のプロフィル付き歯付ベルトとの干渉によってプロフィル自体が損傷する状態を模式的に示す側面図である。
【符号の説明】
８          アイドラ
１０          歯付ベルト
１１          歯
１２          ベルト背面
１３          切欠部
２０，４０Ａ，４０Ｂ，５０  プロフィル
２１，４１，５１      プロフィル本体
２３，４３，５３            底辺基端部
２４，４４，５４      底辺先端部
３０          ガイドレール
３１          ガイドレール案内面
６０          ブラケット
７０，７１          中間プーリ
【図１】
2004359358.tif 000003
【図２】
2004359358.tif 000004
【図３】
2004359358.tif 000005
【図４】
2004359358.tif 000006
【図５】
2004359358.tif 000007
【図６】
2004359358.tif 000008
【図７】
2004359358.tif 000009
【図８】
2004359358.tif 000010
【図９】
2004359358.tif 000011
【図１０】
2004359358.tif 000012
【手続補正書】
【提出日】平成16年3月25日(2004.3.25)
【手続補正１】
【補正対象書類名】明細書
【補正対象項目名】００２０
【補正方法】変更
【補正の内容】
【００２０】
次に、図２は、本発明に係る第２実施の形態として、同じく歯付ベルト１０による搬送ベルトを示す平面図（ａ）と側面図（ｂ）である。この場合の歯付ベルト１０に設けられたプロフィルは、歯付ベルト１０のベルト幅Ｂ方向でいう両端側に分離した２つのもの４０Ａ，４０Ｂからなっている。それら一方と他方のプロフィル４０Ａ，４０Ｂは、いずれも底辺部の前脚部４３がベルト背面１２に結合して固定されている。また、プロフィル本体４１とその底辺部の後脚部４４が歯付ベルト１０の両側面１４，１５の外側に位置することで、歯付ベルト１０のベルト本体との干渉を避けた構造である。また、プロフィル後脚部４４は、上記図１の第１実施の形態の場合と同様に、ガイドレール案内面３１に当接して接触するようになっている。


【手続補正２】
【補正対象書類名】明細書
【補正対象項目名】００２５
【補正方法】変更
【補正の内容】
【００２５】
また、この図３に示すプロファイル５０付きの第３実施の形態の歯付ベルト１０にあっては、従来例の図７と図８で示された装置や設備のスペース上の制約などで、外側アイドラとしての中間プーリが配置されている場合にも好適に対応できて有効である。すなわち、図４（ａ），（ｂ）に示すように、この場合一対からなる中間プーリ７０，７１がプロフィル５０に干渉しないように外側に配置され、ベルト背面１２に接触して歯付ベルト１０の走行を案内するレイアウトの場合に好適である。